【手続補正書】
【提出日】平成19年12月5日(2007.12.5)
【手続補正１】
【補正対象書類名】明細書
【補正対象項目名】特許請求の範囲
【補正方法】変更
【補正の内容】
【特許請求の範囲】
【請求項１】  表示面側からそれぞれ順に配置された第１と第２と第３の絶縁性層と、前記第１と第２の絶縁性層の間に挟まれた第１の導電性層と、前記第２と第３の絶縁性層の間に挟まれた第２の導電性層とを有する多層構造体と、
前記多層構造体の前記表示面に取付けられる第１および第２の発光素子と、
直流電源に接続される切換スイッチと、
を具える表示装置であって、
前記第１と第２と第３の絶縁性層は、針状物によって突き刺して孔を開けることができる素材からなるものであり、前記第１と第２の導電性層は、針状物によって突き刺して孔を開けることができる繊維を含む層であり、
前記第１の発光素子は第１の極性の長い導体端子と第２の極性の短い導体端子とを有し、前記第２の発光素子は前記第１の極性の短い導体端子と前記第２の極性の長い導体端子とを有し、前記第１および第２の発光素子の各々の前記両導体端子の対は、前記多層構造体に前記表示面側から差込まれ、前記多層構造体の前記表示面における実質的に任意の位置に差込み可能なものであり、
前記第１および第２の発光素子のそれぞれの長い導体端子は、前記多層構造体に前記表示面側から差込まれることによって前記第１と第２の絶縁性層と前記第１の導電性層とを貫通して前記第２の導電性層に接触し、さらに前記多層構造体における前記第１の導電性層の位置に対応する部分に絶縁被覆を有していて前記第１の導電性層に対して絶縁され、
前記第１および第２の発光素子のそれぞれの短い導体端子は、前記多層構造体に前記表示面側から差込まれることによって前記第１の絶縁性層を貫通して前記第１の導電性層に接触し、
前記切換スイッチによって前記第１の極性の電圧が前記第１の導電層に印加され前記第２の極性の電圧が前記第２の導電層に印加されたとき、前記表示面に取付けられた前記第２の発光素子が点灯し前記表示面に取付けられた前記第１の発光素子が消灯し、前記切換スイッチによって前記第１の極性の電圧が前記第２の導電層に印加され前記第２の極性の電圧が前記第１の導電層に印加されたとき、前記表示面に取付けられた前記第１の発光素子が点灯し前記表示面に取付けられた前記第２の発光素子が消灯するものである、
表示装置。
【請求項２】  表示面側からそれぞれ順に配置された第１と第２と第３の絶縁性発泡プラスチック層と、前記第１と第２の絶縁性発泡プラスチック層の間に挟まれた第１の導電性層と、前記第２と第３の絶縁性発泡プラスチック層の間に挟まれた第２の導電性層とを有する多層構造体と、
前記多層構造体の前記表示面に取付けられる第１および第２の発光半導体素子と、
直流電源に接続される切換スイッチと、
を具える表示装置であって、
前記第１と第２と第３の絶縁性発泡プラスチック層は針状物によって突き刺して孔を開けることができるものであり、前記第１と第２の導電性層は針状物によって突き刺して孔を開けることができる繊維を含む層であり、
前記第１および第２の発光半導体素子の各々は第１と第２の導体端子を有し、この両導体端子の対は前記多層構造体に前記表示面側から差込まれ、前記両導体端子の対は前記多層構造体の表示面における実質的に任意の位置に差込み可能なものであり、
前記第１の導体端子は前記多層構造体に前記表示面側から差込まれることによって前記第１と第２の絶縁性発泡プラスチック層と前記第１の導電性層とを貫通して前記第２の導電性層に接触し、前記第１の導体端子は前記多層構造体における前記第１の導電性層の位置に対応する部分に絶縁被覆を有していて前記第１の導電性層に対して絶縁され、
前記第２の導体端子は前記多層構造体に前記表示面側から差込まれることによって前記第１の絶縁性発泡プラスチック層を貫通して前記第１の導電性層に接触し、
前記切換スイッチによって第１の極性の電圧が前記第１の導電層に印加され第２の極性の電圧が前記第２の導電層に印加されたとき、前記表示面に取付けられた前記第２の発光素子が点灯し前記表示面に取付けられた前記第１の発光素子が消灯し、前記切換スイッチによって前記第１の極性の電圧が前記第２の導電層に印加され前記第２の極性の電圧が前記第１の導電層に印加されたとき、前記表示面に取付けられた前記第１の発光素子が点灯し前記表示面に取付けられた前記第２の発光素子が消灯するものである、
表示装置。
【請求項３】  表示面側からそれぞれ順に配置された第１と第２と第３の絶縁性層と、前記第１と第２の絶縁性層の間に挟まれた第１の導電性層と、前記第２と第３の絶縁性層の間に挟まれた第２の導電性層とを有する多層構造体と、
前記多層構造体の前記表示面に取付けられる複数の発光素子と、
を具える表示装置であって、
前記第１と第２と第３の絶縁性層と前記第１と第２の導電性層とは、針状物によって突き刺して孔を開けることができる素材からなるものであり、
前記第１と第２の導電性層のうちの少なくとも一方は、互いに分離された任意の形状の複数の領域に分割されており、
前記複数の発光素子の各々は長い導体端子と短い導体端子とを有し、この両導体端子の対は前記多層構造体に差込まれ、前記両導体端子の対は前記多層構造体の前記表示面における実質的に任意の位置に差込み可能なものであり、
前記長い導体端子は前記多層構造体に差込まれることによって前記第１と第２の絶縁性層と前記第１の導電性層とを貫通して前記第２の導電性層に接触し、前記長い導体端子は前記多層構造体における前記第１の導電性層の位置に対応する部分に絶縁被覆を有していて前記第１の導電性層に対して絶縁され、
前記短い導体端子は前記多層構造体に差込まれることによって前記第１の絶縁性層を貫通して前記第１の導電性層に接触し、
前記第１の導電性層は第１の複数の領域に分割されており、前記第２の導電性層は第２の複数の領域に分割されており、前記第１と第２の導電性層のうちの一方の導電性層における複数の領域の中の１つの領域はその他方の導電性層における複数の領域の中の２つの領域に重なるように配置されているものである、
表示装置。
【請求項４】  表示面側から順に配置された第１と第２と第３の絶縁性発泡プラスチック層と、
前記第１と第２の絶縁性発泡プラスチック層の間に挟まれた給電用の第１の導電性層と、
前記第２と第３の絶縁性発泡プラスチック層の間に挟まれた給電用の第２の導電性層と、
を有し、
前記第１と第２と第３の絶縁性発泡プラスチック層は針状物によって突き刺して孔を開けることができるものであり、前記第１と第２の導電性層は針状物によって突き刺して孔を開けることができる繊維を含む層であり、
前記表示面における実質的に任意の位置に発光素子の導体端子を差込み可能であり、
前記第１と第２の導電性層の少なくとも一方は複数の領域に分割されており、
前記複数の領域の各々は、スイッチを介して電源に接続されていること
を特徴とする、表示装置用多層構造体。
【手続補正２】
【補正対象書類名】明細書
【補正対象項目名】０００７
【補正方法】変更
【補正の内容】
【０００７】
【発明の概要】
上述の問題を解決するため、本発明の表示装置（１）は、表示面側からそれぞれ順に配置された第１と第２と第３の絶縁性層（１１、１２、１３）と、第１と第２の絶縁性層の間に挟まれた第１の導電性層（２１）と、第２と第３の絶縁性層の間に挟まれた第２の導電性層（２２）とを有する多層構造体（１０）と；多層構造体の表示面に取付けられる第１および第２の発光素子（３１；９１、９２）と、直流電源に接続される切換スイッチ（図９）と、を具える。第１と第２と第３の絶縁性層は、針状物によって突き刺して孔を開けることができる素材でできている。第１と第２の導電性層は、針状物によって突き刺して孔を開けることができる繊維を含む層である。第１の発光素子は第１の極性の長い導体端子と第２の極性の短い導体端子とを有する。第２の発光素子は第２の極性の長い導体端子（４２）と第１の極性の短い導体端子（４３）とを有する。その両導体端子の対は多層構造体に表示面側から差込まれる。第１および第２の発光素子の各々の両導体端子の対は、多層構造体の表示面における実質的に任意の位置に差込み可能である。第１および第２の発光素子のそれぞれの長い導体端子は、多層構造体に表示面側から差込まれることによって第１と第２の絶縁性層と第１の導電性層とを貫通して第２の導電性層に接触し、さらに多層構造体における第１の導電性層の位置に対応する部分に（即ち、多層構造体に差込まれたときに第１の導電性層と接触する部分に）絶縁被覆（４４）を有していて第１の導電性層から絶縁される。第１および第２の発光素子のそれぞれの短い導体端子は、多層構造体に表示面側から差込まれることによって第１の絶縁性層を貫通して第１の導電性層に接触する。切換スイッチによって第１の極性の電圧が第１の導電層に印加され第２の極性の電圧が第２の導電層に印加されたとき、表示面に取付けられた第２の発光素子が点灯し、表示面に取付けられた第１の発光素子が消灯し、切換スイッチによって第１の極性の電圧が第２の導電層に印加され第２の極性の電圧が第１の導電層に印加されたとき、表示面に取付けられた第１の発光素子が点灯し、表示面に取付けられた第２の発光素子が消灯する。